(57)【要約】【課題】電子機器の状態表示を行う表示装置において、きわめてアピール度が高い状態表示を行うことができるようにする。【解決手段】プリンタなどの電子機器に設けられる表示部６０であって、電子機器の状態を表示する液晶パネル６１と、液晶パネル６１の背面を照射するバックライト６２とを設けるとともに、バックライト６２を、複数の色を発光可能に構成し、電子機器の状態に応じてバックライト６２の発光色を変化させる。また、バックライト６２の照射領域を複数の領域に分割するとともに、各分割領域を個別に照射可能とし、電子機器の状態に応じて、照射領域を変化させる。【選択図】      図３
2004258401.tif 000002
【特許請求の範囲】
【請求項１】
電子機器に設けられる表示装置であって、
前記電子機器の状態を表示する液晶パネルと、
前記液晶パネルの背面を照射するバックライトとを備え、
前記バックライトが、複数の色を発光可能である
ことを特徴とする表示装置。
【請求項２】
前記バックライトが、発光色が異なる複数の単色発光素子を備えることを特徴とする請求項１記載の表示装置。
【請求項３】
前記バックライトが、複数の色を発光可能な多色発光素子を備えることを特徴とする請求項１記載の表示装置。
【請求項４】
電子機器に設けられる表示装置であって、
前記電子機器の状態を表示する液晶パネルと、
前記液晶パネルの背面を照射するバックライトとを備え、
前記バックライトが、照射領域全体を複数の領域に分割し、各分割領域を個別に照射可能である
ことを特徴とする表示装置。
【請求項５】
前記バックライトが、前記各分割領域ごとに発光色を変更可能である
ことを特徴とする請求項４記載の表示装置。
【請求項６】
前記請求項１〜請求項５のいずれかに記載の表示装置を備えた
ことを特徴とする電子機器。
【請求項７】
電子機器の状態を表示する液晶パネルと、前記液晶パネルの背面を照射するバックライトとを備える表示装置の制御方法であって、
前記バックライトが、複数の色を発光可能であり、
前記電子機器の状態に応じて、前記バックライトの発光色を変化させる
ことを特徴とする表示装置の制御方法。
【請求項８】
電子機器の状態を表示する液晶パネルと、前記液晶パネルの背面を照射するバックライトとを備える表示装置の制御方法であって、
前記電子機器の状態変化に応じて、前記バックライトの輝度を段階的又は無段階的に変化させる
ことを特徴とする表示装置の制御方法。
【請求項９】
電子機器の状態を表示する液晶パネルと、前記液晶パネルの背面を照射するバックライトとを備える表示装置の制御方法であって、
前記バックライトが、照射領域全体を複数の領域に分割し、各分割領域を個別に照射可能であり、
前記電子機器の状態に応じて、前記バックライトの照射領域を変化させる
ことを特徴とする表示装置の制御方法。
【請求項１０】
電子機器の状態を表示する液晶パネルと、前記液晶パネルの背面を照射するバックライトとを備える表示装置の制御方法であって、
前記バックライトが、照射領域全体を複数の領域に分割し、各分割領域を個別に照射可能であり、
前記電子機器の処理状況に応じて、前記バックライトの照射領域を増減させる
ことを特徴とする表示装置の制御方法。
【発明の詳細な説明】
【０００１】
【発明の属する技術分野】
本発明は、プリンタ、複写機、ファクシミリ、スキャナ、デジタル複合機などの電子機器に設けられ、電子機器の状態表示を行う表示装置、この表示装置を備えた電子機器及びその表示装置の制御方法に関する。
【０００２】
【従来の技術】
一般に、プリンタ、複写機、ファクシミリ、スキャナ、デジタル複合機などの電子機器には、各種の状態表示を行う表示部が設けられている。例えば、プリンタに設けられる表示部では、ウォームアップ表示、オンライン表示、印刷中表示、警報表示などが行われており、特に、警報表示においては、警報の内容（トナー残量警告、用紙切れ、紙詰りなど）を表示するだけでなく、ワーニング（警告）、エラー（軽度のトラブル）、サービスマンコール（重大なトラブル）などの警報種別（警報の重要度）も併せて示すことが要求されている。
【０００３】
図９は、プリンタに設けられる表示部の従来例を示す説明図である。
この図に示すように、プリンタに設けられる従来の表示部１００は、プリンタの各種状態を文字などで詳細に表示する液晶表示部１０１と、プリンタの主な状態を個別に発光表示する複数の発光表示部１０２、１０３、１０４とを備えて構成されている。例えば、パラレルインタフェースの受信状態を示す場合は、液晶表示部１０１にインタフェースの種類を文字表示（例えば、ＰＡＲ）しながら、アテンション発光表示部１０４を点滅させる。
【０００４】
しかしながら、液晶表示部１０１を構成する液晶パネル（ＬＣＤ）や、発光表示部１０２、１０３、１０４を構成する発光ダイオード（ＬＥＤ）は、いずれも視野角が狭く、離れた場所からの視認性に劣るため、重大なエラーが発生した場合であっても、その警報表示をユーザが見落とす可能性がある。
また、液晶表示部１０１と複数の発光表示部１０２、１０３、１０４とを併設した場合、表示の一体性が損なわれるだけでなく、表示部１００が大型化するという問題もある。
【０００５】
近年、液晶パネルの背面に設けられるバックライトの点灯状態を、電子機器の状態に応じて変化させるものが提案されている（例えば、特許文献１、２参照。）。
例えば、特許文献１に示されるものでは、複写機がプレヒート状態のとき、表示部の明るさを低減させるようになっている。
また、特許文献２に示されるものでは、電子機器の異常検出時に、バックライトを点滅させるようになっている。
【０００６】
【特許文献１】
実公平４−３２６７８号公報（第４頁、第１図）
【特許文献２】
特開平５−１８８８７０号公報（第３頁、第２図）
【０００７】
【発明が解決しようとする課題】
しかしながら、特許文献１、２に示されるものでは、液晶表示部の表示領域全体を対象として、明るさを低減させたり、バックライトを点滅させたりするに過ぎないため、通常表示状態との差異が明確ではなく、ユーザに十分なアピールができないという問題がある。
また、特許文献１、２に示されるものでは、発光表示部が持つ状態表示機能のうち、一部の機能をバックライトで補うに過ぎないため、発光表示部を省くことは困難であった。
【０００８】
本発明は、上記の事情にかんがみなされたものであり、電子機器の状態を液晶パネルで表示するものでありながら、液晶パネルの背面に設けられるバックライトを利用して、きわめてアピール度の高い状態表示を行うことができるだけでなく、液晶パネルの表示機能を拡張して、従来の発光表示部を省くことができる表示装置、この表示装置を備えた電子機器及びその表示装置の制御方法の提供を目的とする。
【０００９】
【課題を解決するための手段】
上記目的を達成するため本発明の表示装置は、電子機器に設けられる表示装置であって、電子機器の状態を表示する液晶パネルと、液晶パネルの背面を照射するバックライトとを備え、バックライトが、複数の色を発光可能に構成してある。
【００１０】
表示装置をこのように構成すれば、電子機器の状態に応じて、バックライトの発光色を変更することができるため、単に、バックライトを点滅させるものや、画面の明るさを低減させるものに比べ、アピール度の高い状態表示を行うことが可能になる。
しかも、バックライトの発光色を増やせば、従来の発光表示部が持つ状態表示機能を全てバックライトに移行することができるため、発光表示部を省いて表示部を小型化したり、表示の一体性を高めることが可能になる。
【００１１】
また、本発明の表示装置は、バックライトが、発光色が異なる複数の単色発光素子を備える構成としてある。
表示装置をこのように構成すれば、バックライトに単色発光ダイオードを用いることができるため、表示装置の製造コストを抑制できるだけでなく、バックライトの駆動制御を簡略化することができる。
【００１２】
また、本発明の表示装置は、バックライトが、複数の色を発光可能な多色発光素子を備える構成としてある。
表示装置をこのように構成すれば、数少ない発光素子でバックライトを構成できるだけでなく、多色発光素子を階調制御することにより、きわめて多くの色を発光することが可能になる。
【００１３】
また、上記目的を達成するため本発明の表示装置は、電子機器に設けられる表示装置であって、電子機器の状態を表示する液晶パネルと、液晶パネルの背面を照射するバックライトとを備え、バックライトが、照射領域全体を複数の領域に分割し、各分割領域を個別に照射可能に構成してある。
【００１４】
表示装置をこのように構成すれば、電子機器の状態に応じて、バックライトの照射領域を変化させることができるため、単に、バックライトを点滅させるものや、画面の明るさを低減させるものに比べ、アピール度の高い状態表示を行うことが可能になる。
また、液晶パネルの特定領域だけを照射することにより、その部分の表示内容を強調することができるため、液晶パネルと連係したバックライトの駆動制御によって、電子機器の各種状態を強調表示することが可能になる。
また、電子機器の処理状況に応じて、バックライトの照射領域を増減させるようにすれば、電子機器の処理状況も強調表示することができる。
【００１５】
また、本発明の表示装置は、バックライトが、各分割領域ごとに発光色を変更可能に構成してある。
表示装置をこのように構成すれば、バックライトにおける照射領域の変更及び発光色の変更により、状態表示のアピール度を更に高めることができる。
【００１６】
また、上記目的を達成するため本発明の電子機器は、請求項１〜請求項５のいずれかに記載の表示装置を備えた構成してある。
電子機器をこのように構成すれば、この電子機器に備えられた表示装置において、この電子機器の状態に応じたバックライトの発光色の変更が可能となる。このため、単に、バックライトを点滅させるものや、画面の明るさを低減させるものに比べて、アピール度の高い状態表示を行わせることができる。
しかも、バックライトの発光色を増やせば、従来の発光表示部が持つ状態表示機能を全てバックライトに移行することができるため、発光表示部を省いて表示部を小型化したり、表示の一体性を高めることが可能になる。
【００１７】
また、上記目的を達成するため本発明における表示装置の制御方法は、電子機器の状態を表示する液晶パネルと、液晶パネルの背面を照射するバックライトとを備える表示装置の制御方法であって、バックライトが、複数の色を発光可能であり、電子機器の状態に応じて、バックライトの発光色を変化させる方法としてある。
【００１８】
表示装置の制御方法をこのような方法にすれば、電子機器の状態に応じて、単に、バックライトを点滅させるものや、画面の明るさを低減させるものに比べ、アピール度の高い状態表示を行うことが可能になる。
しかも、バックライトの発光色を増やせば、従来の発光表示部が持つ状態表示機能を全てバックライトに移行することができるため、発光表示部を省いて表示部を小型化したり、表示の一体性を高めることが可能になる。
【００１９】
また、上記目的を達成するため本発明における表示装置の制御方法は、電子機器の状態を表示する液晶パネルと、液晶パネルの背面を照射するバックライトとを備える表示装置の制御方法であって、電子機器の状態変化に応じて、バックライトの輝度を段階的又は無段階的に変化させる方法としてある。
【００２０】
表示装置の制御方法をこのような方法にすれば、電子機器の状態に応じて、単に、画面の明るさを低減させるものに比べ、アピール度の高い状態表示を行うことが可能になる。
しかも、輝度の変化によって、電子機器の状態変化を示すことができるため、電子機器におけるウォームアップの進捗状況を表示するなど、ユーザにとって有用な状態表示を行うことができる。
【００２１】
また、上記目的を達成するため本発明における表示装置の制御方法は、電子機器の状態を表示する液晶パネルと、液晶パネルの背面を照射するバックライトとを備える表示装置の制御方法であって、バックライトが、照射領域全体を複数の領域に分割し、各分割領域を個別に照射可能であり、電子機器の状態に応じて、バックライトの照射領域を変化させる方法としてある。
【００２２】
表示装置の制御方法をこのような方法にすれば、電子機器の状態に応じて、単に、バックライトを点滅させるものや、画面の明るさを低減させるものに比べ、アピール度の高い状態表示を行うことが可能になる。
しかも、液晶パネルの特定領域だけを照射することにより、その部分の表示内容を強調することができるため、液晶パネルと連係したバックライトの駆動制御によって、電子機器の各種状態を強調表示することが可能になる。
【００２３】
また、上記目的を達成するため本発明の表示装置の制御方法は、電子機器の状態を表示する液晶パネルと、液晶パネルの背面を照射するバックライトとを備える表示装置の制御方法であって、バックライトが、照射領域全体を複数の領域に分割し、各分割領域を個別に照射可能であり、電子機器の処理状況に応じて、バックライトの照射領域を増減させる方法としてある。
【００２４】
表示装置の制御方法をこのような方法にすれば、電子機器の状態に応じて、単に、バックライトを点滅させるものや、画面の明るさを低減させるものに比べ、アピール度の高い状態表示を行うことが可能になる。
しかも、照射領域の増減によって、電子機器の処理状況を示すことができるため、電子機器におけるジョブの処理状況を表示するなど、ユーザにとって有用な状態表示を行うことができる。
【００２５】
【発明の実施の形態】
以下、本発明に係る表示装置、この表示装置を備えた電子機器及びその表示装置の制御方法の実施形態について、図面を参照して説明する。
図１は、プリンタ（画像形成装置）の構成を示すブロック図である。
この図に示すように、プリンタは、インタフェース部１０、プリント部２０、プリント制御部３０、表示パネル部４０などを備えて構成されている。
インタフェース部１０は、ホストとの間でプリントデータなどの送受を行う部分であり、パラレルインタフェース、シリアルインタフェース、ネットワークインタフェースなどを備えている。
【００２６】
プリント部２０は、用紙を供給する給紙部と、用紙に印字を行う印字部と、印字した用紙を排出する排紙部とを備える。例えば、レーザビーム方式のプリンタでは、トナーカートリッジ、感光ドラム、定着ローラなどで印字部が構成される。プリント部２０には、様々なセンサ２１が設けられており、これらのセンサ２１によって、給紙部の用紙残量、用紙経路の詰り、トナーカートリッジのトナー残量、定着ローラの温度などが検出される。
プリント制御部３０は、インタフェース部１０を介して、ホストからプリントデータ（ジョブ）を受信し、このプリントデータにもとづいて、プリント部２０を動作させる。
【００２７】
図２は、表示パネル部の構成を示すブロック図である。
この図に示すように、表示パネル部４０は、プリンタの各種操作を行う操作部５０と、プリンタの各種状態を表示する表示部（表示装置）６０と、警報音を発生させるスピーカ７０と、表示制御や警報音制御を行う表示パネル制御部８０とを備えて構成されている。
操作部５０は、複数の操作スイッチにより構成され、その操作信号は表示パネル制御部８０及びプリント制御部３０に入力される。
【００２８】
表示部６０は、文字や図柄を表示可能な液晶パネル６１と、その背面を照射するバックライト６２とを備えて構成されている。
液晶パネル６１としては、例えば、２行６桁の英数字を表示可能なモノクロ液晶パネルが用いられる。
バックライト６２には、液晶パネル６１の背面部に光源を配置し、液晶パネル６１の背面を直接照射する直接照射タイプと、液晶パネル６１の背面部に導光板を配置し、その端面から入射される光で液晶パネル６１の背面を間接的に照射する間接照射タイプとがある。本発明は、いずれのタイプでも実施可能であるが、本実施形態のバックライト６２は直接照射タイプとした。
【００２９】
図３は、表示部の断面図である。
図３（ａ）は、発光色が異なる複数の単色発光ダイオード（単色発光素子）６２ａによってバックライト６２を構成した例を示し、図３（ｂ）は、複数の色を発光可能な多色発光ダイオード（多色発光素子）６２ｂによってバックライト６２を構成した例を示している。つまり、いずれのバックライト６２も、複数の色を選択的に発光可能に構成されており、この発光によって、液晶パネル６１の表示面が面発光することになる。
なお、図３（ａ）では、リード線を介して基板６２ｃに実装される砲弾型の単色発光ダイオード６２ａを用い、図３（ｂ）では、基板６２ｃに直接実装される表面実装型の多色発光ダイオード６２ｂを用いたが、表面実装型の単色発光ダイオードや、砲弾型の多色発光ダイオードを用いてもよい。
【００３０】
また、図３に示すバックライト６２は、いずれも液晶パネル６１の照射領域全体を複数の領域に分割し、各分割領域を個別に照射可能に構成されるとともに、各分割領域ごとに発光色を変更可能となっている。
例えば、図３（ａ）のバックライト６２は、液晶パネル６１の照射領域全体を、仕切り部材６２ｄによって２行６列の分割領域に仕切るとともに、各分割領域に、発光色が異なる複数の単色発光ダイオード６２ａをそれぞれ配置している。
また、図３（ｂ）のバックライト６２は、液晶パネル６１の照射領域全体を、仕切り部材６２ｄによって２行６列の分割領域に仕切るとともに、各分割領域に、複数の色を発光可能な多色発光ダイオード６２ｂをそれぞれ配置している。
これにより、いずれのバックライト６２も、液晶パネル６１の各文字表示位置を個別に照射することが可能になる。
【００３１】
表示パネル制御部８０は、ＣＰＵ８１、ＲＡＭ８２、ＲＯＭ８３、ＬＣＤ駆動回路８４、ＬＥＤ駆動回路８５、警報音発生回路８６などを備えて構成されており、ＲＯＭ８３に書き込まれたプログラムにもとづいて、表示部６０及びスピーカ７０の制御を行う。
【００３２】
つぎに、表示部６０の制御方法について、図４〜図８を参照して説明する。
ただし、以下に示す本実施形態の制御方法では、プリンタの状態を、通常状態と、警告を要するワーニング状態と、軽度のトラブルが発生しているエラー状態と、重大なトラブルが発生しているサービスマンコール状態とに分けるとともに、通常状態のバックライト発光色を緑色、ワーニング状態のバックライト発光色を黄色、エラー状態及びサービスマンコール状態のバックライト発光色を赤色とする。
また、エラー状態及びサービスマンコール状態では、プリント動作が禁止され、ワーニング状態では、プリント動作が許容されるものとする。
【００３３】
図４は、表示パネル制御部の制御手順を示すフローチャートである。
この図に示すように、表示パネル制御部８０は、まず、センサ２１やプリント制御部３０からの信号にもとづいて、プリンタの各種状態を判断する（Ｓ１０１〜Ｓ１０３）。
【００３４】
図５（ａ）は、サービスマンコール表示を示す説明図である。
この図に示すように、サービスマンコール状態であると判断した場合は（Ｓ１０１）、まず、液晶パネル６１に、サービスマンコール状態を示す文字列（例えば、ＣＡＬＬ  ＳＥＲ）と、トラブルの内容（例えば、パネルロック、メモリオーバフローなど）を示すエラーコード（例えば、Ｅ１〜Ｅｎ）を表示する（Ｓ１０４）。
つぎに、バックライト６２の発光色を決める発光色フラグに赤色をセットするとともに（Ｓ１０５）、バックライト６２の全域を点灯させる（Ｓ１０６）。
また、サービスマンコール状態では、スピーカ７０から第一警報音（例えば、甲高い音色）を連続的に発生させる（Ｓ１０７）。
【００３５】
図５（ｂ）は、エラー表示を示す説明図である。
この図に示すように、エラー状態であると判断した場合は（Ｓ１０２）、まず、液晶パネル６１に、エラー状態を示す文字列（例えば、ＥＲＲ）と、トラブルの内容（例えば、紙詰り）を示す文字列（例えば、ＪＡＭ）を表示する（Ｓ１０８）。
つぎに、発光色フラグに赤色をセットするとともに（Ｓ１０９）、バックライト６２の全域を短いサイクルで点滅させる（Ｓ１１０）。
また、エラー状態では、スピーカ７０から第二警報音（例えば、ブザー音）を断続的に発生させる（Ｓ１１１）。
【００３６】
図６（ａ）は、ワーニング表示を示す説明図である。
この図に示すように、ワーニング状態であると判断した場合は（Ｓ１０３）、発光色フラグに黄色をセットした後（Ｓ１１２）、イベント（起動時ウォーミングアップ、インタフェース受信など）の発生を判断する（Ｓ１１３）。
ここで、イベントの発生が無いと判断した場合は、液晶パネル６１に、警告の内容（例えば、トナー残量警告）を示す文字列（例えば、ＴＯＮＥＲ  ＬＯＷ）を表示するとともに（Ｓ１１４）、バックライト６２の全域を長いサイクルで点滅させる（Ｓ１１５）。
一方、イベントの発生が有りと判断した場合は、発光色フラグに黄色をセットしたまま、後述する通常状態の処理を行う。
【００３７】
図６（ｂ）は、起動時のウォーミングアップ表示を示す説明図である。
プリンタが通常状態である場合は、発光色フラグに緑色をセットした後（Ｓ１１６）、起動時ウォーミングアップ状態であるか否かを判断する（Ｓ１１７）。この判断がＹＥＳの場合は、液晶パネル６１に、起動時ウォーミングアップ状態を示す文字列（例えば、ＰＯＷＥＲ）を表示するとともに（Ｓ１１８）、ウォーミングアップの進捗状況に合せて、バックライト６２の輝度を徐々に上げる（Ｓ１１９）。この表示は、ウォーミングアップが完了した時点で終了する。
【００３８】
図７（ａ）は、オフライン表示を示す説明図、図７（ｂ）は、オンライン表示を示す説明図である。
プリンタのウォーミングアップが終了すると、プリンタがオンライン状態であるか否かを判断する（Ｓ１２０）。ここで、プリンタがオフライン状態であると判断した場合は、液晶パネル６１に、オフライン状態を示す文字列（例えば、ＬＩＮＥ  ＯＦＦ）を表示するとともに（Ｓ１２１）、バックライト６２の全域を消灯させる（Ｓ１２２）。
一方、プリンタがオンライン状態であると判断した場合は、液晶パネル６１に、オンライン状態を示す文字列（例えば、ＬＩＮＥ  ＯＮ）を表示するとともに（Ｓ１２３）、バックライト６２の全域を点灯させる（Ｓ１２４）。
【００３９】
図７（ｃ）は、インタフェース受信表示を示す説明図である。
プリンタがオンラインの状態では、ホストインタフェースの受信状態を判断し（Ｓ１２５）、この判断がＹＥＳのときは、ホストから送られるジョブの長さも判断する（Ｓ１２６）。
ホストインタフェースが受信状態で、かつ、ジョブが短い場合は、液晶パネル６１に、インタフェースの種類（例えば、パラレル）を示す文字列（例えば、ＰＡＲ）を表示するとともに（Ｓ１２７）、この文字列部分だけを照射するようにバックライト６２の一部の領域を点滅させる（Ｓ１２８）。
【００４０】
図８は、ジョブ表示を示す説明図である。
一方、ホストインタフェースが受信状態で、かつ、ジョブが長い場合は、まず、液晶パネル６１の上段に、ジョブの処理状態であることを示す文字列（例えば、ＪＯＢ）を表示する（Ｓ１２９）。
つぎに、バックライト６２の下段分割領域を、ジョブの処理状況に合せて、左側から順にバーグラフ状に点灯させる（Ｓ１３０）。つまり、バックライト６２の照射領域を徐々に増加させることにより、ジョブの処理状況を表示する。
【００４１】
以上のように、本実施形態によれば、表示部６０は、プリンタの状態に応じて、バックライト６２の発光色を変更するため、単に、バックライト６２を点滅させるものや、画面の明るさを低減させるものに比べ、アピール度の高い状態表示を行うことができる。
しかも、バックライト６２の発光色を増やせば、従来の発光表示部が持つ状態表示機能を、全てバックライト６２に移行することができるため、発光表示部を省くことが可能になる。
【００４２】
また、バックライト６２は、照射領域全体を複数の領域に分割し、各分割領域を個別に照射可能であるため、プリンタの状態に応じて、バックライト６２の照射領域を変化させることにより、更にアピール度の高い状態表示を行うことができる。例えば、液晶パネル６１の特定領域だけを照射するようにすれば、その部分の表示内容を強調することができる。また、プリンタの処理状況に応じて、バックライト６２の照射領域を増減させるようにすれば、バックライト６２を利用してプリンタの処理状況を表示することが可能になる。
また、各分割領域ごとに発光色を変更可能にすれば、状態表示のアピール度を更に高めることができる。
【００４３】
また、プリンタの状態変化に応じて、バックライト６２の輝度を徐々に変化させるようにすれば、起動時におけるウォームアップの進捗状況など、ユーザにとって有用な状態表示を行うことが可能になる。
【００４４】
なお、上述した表示装置を有する電子機器には、画像形成装置（プリンタ（複写機），コピー機，スキャナ，ファクシミリ，複合装置），携帯電話，ＰＨＳ，ＰＤＡ（Ｐｅｒｓｏｎａｌ  Ｄｉｇｉｔａｌ  Ａｓｓｉｓｔａｎｔ），情報処理装置（例えば、パーソナルコンピュータやノート型パソコン等），卓上電話機，公衆電話機，卓上計算機（電卓），案内表示器，広告掲示板，自動改札機，自動券売機などのように、液晶パネルとバックライトとを有した表示装置を備えている電子機器が含まれる。
【００４５】
以上、本発明の表示装置、この表示装置を備えた電子機器及びその表示装置の制御方法の好ましい実施形態について説明したが、本発明に係る表示装置、この表示装置を備えた電子機器及びその表示装置の制御方法は上述した実施形態にのみ限定されるものではなく、本発明の範囲で種々の変更実施が可能であることは言うまでもない。
【００４６】
【発明の効果】
以上のように、本発明によれば、電子機器の状態を液晶パネルで表示するものでありながら、液晶パネルの背面に設けられるバックライトを利用して、きわめてアピール度の高い状態表示を行うことができるだけでなく、液晶パネルの表示機能を拡張して、従来の発光表示部を省くことができる。
【図面の簡単な説明】
【図１】プリンタ（画像形成装置）の構成を示すブロック図である。
【図２】表示パネル部の構成を示すブロック図である。
【図３】表示部の断面図である。
【図４】表示パネル制御部の制御手順を示すフローチャートである。
【図５】（ａ）は、サービスマンコール表示を示す説明図、（ｂ）は、エラー表示を示す説明図である。
【図６】（ａ）は、ワーニング表示を示す説明図、（ｂ）は、起動時のウォーミングアップ表示を示す説明図である。
【図７】（ａ）は、オフライン表示を示す説明図、（ｂ）は、オンライン表示を示す説明図、（ｃ）は、インタフェース受信表示を示す説明図である。
【図８】ジョブ表示を示す説明図である。
【図９】プリンタに設けられる表示部の従来例を示す説明図である。
【符号の説明】
１０  インタフェース部
２０  プリント部
２１  センサ
３０  プリント制御部
４０  表示パネル部
５０  操作部
６０  表示部
６１  液晶パネル
６２  バックライト
６２ａ  単色発光ダイオード
６２ｂ  多色発光ダイオード
６２ｃ  基板
６２ｄ  仕切り部材
８０  表示パネル制御部
【図１】
2004258401.tif 000003
【図２】
2004258401.tif 000004
【図３】
2004258401.tif 000005
【図４】
2004258401.tif 000006
【図５】
2004258401.tif 000007
【図６】
2004258401.tif 000008
【図７】
2004258401.tif 000009
【図８】
2004258401.tif 000010
【図９】
2004258401.tif 000011